(57)【要約】  ４つのエッジによって分離されたトップパネル、ボトムパネル、前面パネル、背面パネル、左パネル、及び右パネルを備えたカートンパッケージが開示される。前面パネルは、前面トップエッジに沿ってトップパネルに接続され、前面ボトムエッジに沿ってボトムパネルに接続される。前面ボトムエッジから測定された第１の高さにおいて、前面左エッジから前面右エッジまで測定された前面パネルの横幅は、前面ボトムエッジの長さよりも大きく、前面トップエッジの長さよりも大きい。前面ボトムエッジから測定された第２の高さにおいて、前面左エッジから前面右エッジまで測定された前面パネルの横幅は、前面ボトムエッジの長さよりも小さく、前面トップエッジの長さよりも小さい。【選択図】  図１ａ
2021533045.tif 000002
【特許請求の範囲】
【請求項１】
トップパネル（Ｔ）と、
ボトムパネル（Ｂ）と、
前記トップパネル及び前記ボトムパネルの間に延びる本体（１０１）を備え、前記本体は、
４つのエッジ：前面左エッジ（ＦＬＥ）、前面右エッジ（ＦＲＥ）、背面左エッジ（ＢＬＥ）、及び背面右エッジ（ＢＲＥ）によって分離された前面パネル（ＦＰ）、背面パネル（ＢＰ）、左パネル（ＬＰ）及び右パネル（ＲＰ）を備え、
前記前面パネル、背面パネル、左パネル、右パネルのそれぞれ、及び４つのエッジのそれぞれは、前記トップパネルから前記ボトムパネルまで延び、
前記前面パネルは、前面トップエッジ（ＦＴＥ）に沿って前記トップパネルに接続され、前面ボトムエッジ（ＦＢＥ）に沿って前記ボトムパネルに接続される、液体消耗品用のカートンパッケージ（１００）であって、
前記前面ボトムエッジから測定された第１の高さ（ｈ１）において、前記前面左エッジから前記前面右エッジまで測定された前記前面パネルの横幅（ｗ１）が、
前記前面ボトムエッジの長さ（ＬＢ）よりも大きく、
前記前面トップエッジの長さ（ＬＴ）よりも大きいこと、及び、
前記前面ボトムエッジから測定された第２の高さ（ｈ２）において、前記前面左エッジから前記前面右エッジまで測定された前記前面パネルの横幅（ｗ２）が、
前記前面ボトムエッジの長さ（ＬＢ）よりも小さく、
前記前面トップエッジの長さ（ＬＴ）よりも小さいこと、
を特徴とする、液体消耗品用のカートンパッケージ（１００）。
【請求項２】
前記第２の高さ（ｈ２）が前記第１の高さ（ｈ１）よりも大きい、請求項１に記載のカートンパッケージ。
【請求項３】
高さ（ｈ３、ｈ’３）において前記前面パネルの横幅（ｗ３、ｗ’３）が前記前面ボトムエッジの長さ又は前記前面トップエッジの長さに等しく、
比率ｈ３／ｈｆ、又はｈ’３／ｈｆが、０．２５から０．７５の間、好ましくは０．４から０．６の間であり、ｈｆは前記前面ボトムエッジから前記前面トップエッジまでの前記前面パネルの高さである、請求項１又は２に記載のカートンパッケージ。
【請求項４】
前記背面パネルが、背面トップエッジ（ＢＴＥ）に沿って前記トップパネルに接続され、且つ背面ボトムエッジ（ＢＢＥ）に沿って前記ボトムパネルに接続され、
ｈｆは前記前面ボトムエッジから前記前面トップエッジまでの前記前面パネルの高さであり、
ｈｂは前記背面ボトムエッジから前記背面トップエッジまでの前記背面パネルの高さであり、
ｈｂはｈｆよりも大きい、請求項１〜３のいずれか一項に記載のカートンパッケージ。
【請求項５】
前記前面ボトムエッジの長さが前記前面トップエッジの長さよりも大きい、請求項１〜４のいずれか一項に記載のカートンパッケージ。
【請求項６】
前記前面左エッジ及び／又は前記前面右エッジが正弦曲線の形態を有する、請求項１〜５のいずれか一項に記載のカートンパッケージ。
【請求項７】
前記背面左エッジ及び／又は前記背面右エッジが正弦曲線の形態を有する、請求項１〜６のいずれか一項に記載のカートンパッケージ。
【請求項８】
前記背面パネルの形状が、前面パネルと背面パネルの間の高さ（ｈｆ、ｈｂ）の差に応じて高さ寸法において拡大された前記前面パネルの形状の鏡像である、請求項１〜７のいずれか一項に記載のカートンパッケージ。
【請求項９】
前記前面右エッジが前記前面左エッジの鏡像である、請求項１〜８のいずれか一項に記載のカートンパッケージ。
【請求項１０】
ｗａが前記前面ボトムエッジと前記前面トップエッジの平均長さであり、
比率（ｗ１−ｗａ）／ｗａが比率（ｗａ−ｗ２）／ｗａよりも大きい、請求項１〜９のいずれか一項に記載のカートンパッケージ。
【請求項１１】
前記右パネルが右トップエッジ（ＲＴＥ）に沿って前記トップパネルに接続され、且つ右ボトムエッジ（ＲＢＥ）に沿って前記ボトムパネルに接続され、
前記右ボトムエッジから測定された第４の高さ（ｈ４）において、前記前面右エッジから前記背面右エッジまで測定された前記右パネルの横幅（ｗ４）が、
前記右ボトムエッジの長さ（Ｌ’Ｂ）よりも小さく、
前記右トップエッジの長さ（Ｌ’Ｔ）よりも小さく、
前記右ボトムエッジから測定された第５の高さ（ｈ５）において、前記前面右エッジから前記背面右エッジまで測定された前記右パネルの横幅（ｗ５）が、
前記右ボトムエッジの前記長さよりも大きく、
前記右トップエッジの前記長さよりも大きい、
請求項１〜１０のいずれか一項に記載のカートンパッケージ。
【請求項１２】
前記第５の高さ（ｈ５）が前記第４の高さ（ｈ４）よりも大きい、請求項１１に記載のカートンパッケージ。
【請求項１３】
高さ（ｈ６、ｈ’６）において前記右パネルの横幅（ｗ６、ｗ’６）が前記右ボトムエッジの長さ又は前記右トップエッジの長さに等しく、
比率ｈ６／ｈｆ、又はｈ’６／ｈｆが、０．２５から０．７５の間、好ましくは０．４から０．６の間であり、ｈｆは、前記右ボトムエッジから前記右トップエッジの中心までの前記右パネルの高さである、請求項１１又は１２に記載のカートンパッケージ。
【請求項１４】
前記左パネルの形状が前記右パネルの形状の鏡像である、請求項１１〜１３のいずれか一項に記載のカートンパッケージ。
【請求項１５】
カートンパッケージ用のカートンブランク（２００）であり、
前記カートンパッケージの前面左エッジ（ＦＬＥ）を規定する第１の長手方向折り目線（３００）と、
前記カートンパッケージの前面右エッジ（ＦＲＥ）を規定する第２の長手方向折り目線（３０１）と、
前記カートンパッケージの前面トップエッジ（ＦＴＥ）、背面トップエッジ（ＢＴＥ）、左トップエッジ（ＬＴＥ）、及び右トップエッジ（ＲＴＥ）を規定する第１の横方向折り目線（３０２）と、
前記カートンパッケージの前面ボトムエッジ（ＦＢＥ）、背面ボトムエッジ（ＢＢＥ）、左ボトムエッジ（ＬＢＥ）及び右ボトムエッジ（ＲＢＥ）を規定する第２の横方向折り目線（３０３）と、
前面パネルセクション（ＦＰ）と、背面パネルセクション（ＢＰ）と、左パネルセクション（ＬＰ）、及び右パネルセクション（ＲＰ）とを備え、
前記前面パネルセクションは前記前面左エッジ（ＦＬＥ）と前記前面右エッジ（ＦＲＥ）の間に延在し、前記前面トップエッジ（ＦＴＥ）に沿ってトップパネルセクション（Ｔ１）に接続され、前記前面ボトムエッジ（ＦＢＥ）に沿ってボトムパネルセクション（Ｂ１）に接続される、カートンパッケージ用のカートンブランク（２００）であって、
前記前面ボトムエッジから測定された第１の高さ（ｈ１）において、前記前面左エッジから前記前面右エッジまで測定された前記前面パネルセクションの横幅（ｗ１）が、
前記前面ボトムエッジの長さ（ＬＢ）よりも大きく、
前記前面トップエッジの長さ（ＬＴ）よりも大きいこと、及び、
前記前面ボトムエッジから測定された第２の高さ（ｈ２）において、前記前面左エッジから前記前面右エッジまで測定された前記前面パネルセクションの横幅（ｗ２）が、
前記前面ボトムエッジの前記長さよりも小さく、
前記前面トップエッジの前記長さよりも小さいこと、
を特徴とする、カートンパッケージ用のカートンブランク（２００）。
【請求項１６】
前記第２の長手方向折り目線（３０１）、
前記第１の横方向折り目線（３０２）、及び、
前記第２の横方向折り目線（３０３）、
とともに前記右パネルセクション（ＲＰ）を画定する第３の長手方向折り目線（３０４）、
を備える、請求項１５に記載のカートンブランク。
【請求項１７】
前記第１の長手方向折り目線（３００）、
前記第１の横方向折り目線（３０２）、及び、
前記第２の横方向折り目線（３０３）、
とともに前記左パネルセクション（ＬＰ）を画定する第４の長手方向折り目線（３０５）、
を備える、請求項１５又は１６に記載のカートンブランク。
【請求項１８】
前記右パネルセクションが前記前面右エッジ（ＦＲＥ）と前記背面右エッジ（ＢＲＥ）の間に延在し、前記右トップエッジ（ＲＴＥ）に沿ってトップパネルセクション（Ｔ２）に接続され、前記右ボトムエッジ（ＲＢＥ）に沿ってボトムパネルセクション（Ｂ２）に接続され、
前記右ボトムエッジから測定された第４の高さ（ｈ４）において、前記前面右エッジから前記背面右エッジまで測定された前記右パネルセクションの横幅（ｗ４）が、
前記右ボトムエッジの長さ（Ｌ’Ｂ）よりも小さく、
前記右トップエッジの長さ（Ｌ’Ｔ）よりも小さく、
前記右ボトムエッジから測定された第５の高さ（ｈ５）において、前記前面右エッジから前記背面右エッジまで測定された前記右パネルセクションの横幅（ｗ５）が、
前記右ボトムエッジの長さ（Ｌ’Ｂ）よりも大きく、
前記右トップエッジの長さ（Ｌ’Ｔ）よりも大きい、請求項１５〜１７のいずれか一項に記載のカートンブランク。
【発明の詳細な説明】
【技術分野】
【０００１】
本発明は、液体消耗品用のカートンパッケージ及びカートンパッケージ用のブランクに関する。
【背景技術】
【０００２】
今日、液体消耗品用の多種多様なカートンパッケージが、様々な製品及びニーズに合わせて使用されている。カートンパッケージの構成及び形状は、パッケージ自体の取り扱いの点で、及び、パッケージの特性が様々な充填製品の特長とどの程度調和しているかという点で、使いやすさなどのいくつかの側面に影響を与える。製品の種類は、例えば、開封時のパッケージの取り扱い方法、又は製品をパッケージから効果的に空ける方法に影響する。例えば、高粘度の製品の残留物は、パッケージから取り出すのがより困難な場合があり、通常、パッケージ自体のより多くの操作が必要になる。例えば、運動技能の怪我をしている人又は筋肉の能力が低下している高齢者にとって、パッケージの内容物を無駄にすることなくパッケージを空にするのは難しいかもしれない。パッケージは、製品が空けられると、リサイクル時に操作されることもよくある。カートンパッケージの形状は、パッケージの剛性などの機械的特性に影響を与える。通常、パッケージの取り扱いの容易さとその機械的特性の間の妥協点を見つけるにはトレードオフが必要であり、これにより特定の製品カテゴリについて全体的なパフォーマンスが最適ではなくなる。
【発明の概要】
【発明が解決しようとする課題】
【０００３】
本発明の目的は、従来技術の１つ又は複数の制限を少なくとも部分的に克服することである。また、本発明の目的は、使用中にカートンパッケージの促進された把持を可能にするカートンパッケージ及びカートンパッケージ用の関連するブランクを提供することである。
【課題を解決するための手段】
【０００４】
本発明の第１の態様では、液体消耗品用のカートンパッケージが提供され、カートンパッケージはトップパネルと、ボトムパネルと、トップパネル及びボトムパネルの間に延びる本体とを備え、本体は前面パネルと、背面パネルと、左パネル及び右パネルを備え、それらは４つのエッジ：前面左エッジ、前面右エッジ、背面左エッジ、及び背面右エッジで分離されている。前面パネル、背面パネル、左パネル、右パネルのそれぞれと、４つのエッジのそれぞれは、トップパネルからボトムパネルまで延びる。前面パネルは、前面トップエッジに沿ってトップパネルに接続され、前面ボトムエッジに沿ってボトムパネルに接続される。前面ボトムエッジから測定した第１の高さにおいて、前面左エッジから前面右エッジまで測定した前面パネルの横幅は、前面ボトムエッジの長さよりも大きく、前面トップエッジの長さよりも大きい。前面ボトムエッジから測定された第２の高さにおいて、前面左エッジから前面右エッジまで測定された前面パネルの横幅は、前面ボトムエッジの長さよりも小さく、前面トップエッジの長さよりも小さい。
【０００５】
本発明の第２の態様では、カートンパッケージ用のカートンブランクが提供され、カートンブランクは、前記カートンパッケージの前面左エッジを規定する第１の長手方向折り目線と、前記カートンパッケージの前面右エッジを規定する第２の長手方向折り目線と、前記カートンパッケージの前面トップエッジ、背面トップエッジ、左トップエッジ、及び右トップエッジを規定する第１の横方向折り目線と、前記カートンパッケージの前面ボトムエッジ、背面ボトムエッジ、左ボトムエッジ及び右ボトムエッジを規定する第２の横方向折り目線とを備える。カートンブランクは、前面パネルセクション、背面パネルセクション、左パネルセクション、及び右パネルセクションを備える。前面パネルセクションは、前面左エッジと前面右エッジとの間に延在し、前面トップエッジに沿ってトップパネルセクションに接続され、前面ボトムエッジに沿ってボトムパネルセクションに接続される。前面ボトムエッジから測定した第１の高さにおいて、前面左エッジから前面右エッジまで測定した前面パネルセクションの横幅は、前面ボトムエッジの長さよりも大きく、前面トップエッジの長さよりも大きい。前面ボトムエッジから測定した第２の高さにおいて、前面左エッジから前面右エッジまで測定した前面パネルセクションの横幅は、前面ボトムエッジの長さよりも小さく、前面トップエッジの長さよりも小さい。
【０００６】
第１の高さ及び第２の高さにおいて、上記のように前面パネルセクションの横幅を有することにより、ユーザが包装容器を把持し得る改善された直感的な位置が提供され、これによりその取り扱い及び操作が促進される。包装容器はユーザの手の中でバランスを保ち、ユーザの手によって提供される力は包装容器の表面全体により均等に分散される。
【０００７】
本発明のさらなる例は従属請求項に定義され、そこでは第１の態様の特徴を第２の態様に実装することができ、逆もまた同様である。
【０００８】
本発明のさらに他の目的、特徴、態様及び利点は、以下の詳細な説明及び図面から明らかになるであろう。
【０００９】
本発明の例が可能であるこれら及び他の態様、特徴及び利点は、本発明の例の以下の記載から明らかになり且つ解明され、この際添付の図面が参照される。
【図面の簡単な説明】
【００１０】
【図１ａ】本開示の例による、容器パッケージの前面パネル、左パネル、及び右パネルの概略正面図である。
【図１ｂ】本開示の例による、容器パッケージの前面パネル、左パネル、及び右パネルの概略正面図である。
【図２】本開示の例による、容器パッケージの前面パネル、トップパネル、及び右パネルの斜視図である概略図である。
【図３ａ】本開示の例による、容器パッケージの右パネル、前面パネル、及び背面パネルの概略側面図である。
【図３ｂ】本開示の例による、容器パッケージの右パネル、前面パネル、及び背面パネルの概略側面図である。
【図３ｃ】本開示の例による、容器パッケージの右パネル、前面パネル、及び背面パネルの概略側面図である。
【図４ａ−ｂ】本開示の例による、前面パネルセクション、右パネルセクション、背面パネルセクション、及び左パネルセクションを備えた容器パッケージ用のカートンブランクの概略図である。
【発明を実施するための形態】
【００１１】
次に、添付の図面を参照して、本発明の特定の例を記載する。しかしながら、本発明は、多くの異なる形態で具体化することができ、本明細書に記載の例に限定されると解釈されるべきではない。むしろ、これらの例は、本開示が徹底的且つ完全であり、本発明の範囲を当業者に完全に伝えるように提供されている。添付の図面に示されている例の詳細な説明で使用されている用語は、本発明を限定することを意図するものではない。図面中、同様の番号は同様の要素を指す。
【００１２】
図１は、トップパネル（Ｔ）と、ボトムパネル（Ｂ）と、トップパネル（Ｔ）及びボトムパネル（Ｂ）との間に延びる本体１０１とを含む液体消耗品用のカートンパッケージ１００の概略図である。本体１０１は、前面パネル（ＦＰ）と、背面パネル（ＢＰ）と、左パネル（ＬＰ）と、右パネル（ＲＰ）とを備え、それらは４つのエッジ（前面左エッジ（ＦＬＥ）、前面右エッジ（ＦＲＥ）、背面左エッジ（ＢＬＥ）、背面右エッジ（ＢＲＥ））によって分離されている。前面パネル（ＦＰ）、背面パネル（ＢＰ）、左パネル（ＬＰ）、右パネル（ＲＰ）のそれぞれ、及び４つのエッジは、トップパネル（Ｔ）からボトムパネル（Ｂ）まで延びる。前面パネル（ＦＰ）は、前面トップエッジ（ＦＴＥ）に沿ってトップパネル（Ｔ）に接続され、前面ボトムエッジ（ＦＢＥ）に沿ってボトムパネル（ＢＰ）に接続される。
【００１３】
図２は、パッケージ１００の斜視図を示している。
【００１４】
再び図１ａに目を向けると、前面ボトムエッジ（ＦＢＥ）から測定した第１の高さ（ｈ１）において、前面左エッジ（ＦＬＥ）から前面右エッジ（ＦＲＥ）まで測定した前面パネル（ＦＰ）の横幅（ｗ１）は、前面ボトムエッジ（ＦＢＥ）の長さ（ＬＢ）よりも大きく、前面トップエッジ（ＦＴＥ）の長さ（ＬＴ）よりも大きい。前面ボトムエッジ（ＦＢＥ）から測定した第２の高さ（ｈ２）において、前面左エッジ（ＦＬＥ）から前面右エッジ（ＦＲＥ）まで測定した前面パネル（ＦＰ）の横幅（ｗ２）は、前面ボトムエッジ（ＦＢＥ）の長さ（ＬＢ）よりも小さく、前面トップエッジ（ＦＴＥ）の長さ（ＬＴ）よりも小さい。
【００１５】
これは、使いやすさの観点からも、パッケージ１００の機械的特性の観点からも、前面パネル（ＦＰ）の特に有利な形状を提供する。横幅（ｗ１、ｗ２）を前面ボトムエッジ（ＦＢＥ）及び前面トップエッジ（ＦＴＥ）の長さ（ＬＢ、ＬＴ）よりもそれぞれ大きく及び小さくすることは、第１のセクション１０２及び第２のセクション１０３を有する前面パネル（ＦＰ）を提供し、第２のセクション１０３は第１のセクション１０２より狭い。第２のセクション１０３の狭い幅は、ユーザがパッケージ１００を把持するために素早く係合するときに自分の手を置くことができる直感的な位置を提供する。パッケージ１００周りの把持部は、ユーザの手が前述の第２のセクション１０３により容易に順応し得るので、さらに促進される。これはまた、手がパッケージ１００に及ぼす力をより大きな表面に分散させることを提供し、それにより、安全な把持のための手とパッケージ１００との間の十分な摩擦力を維持しながら、重いパッケージを取り扱う一部のユーザに不快感を引き起こす可能性のある局所的な圧力点を低減することを可能にする。狭い第２のセクション１０３はまた、パッケージ１００の圧縮が容易な方法で開始され得るくぼみを提供する。これにより、パッケージ１００を容易に空にし、リサイクル目的で圧縮することができる。幅が増加した第１のセクション１０２を有することは、第２のセクション１０３のくぼみを強調することができる一方で、パッケージ１００の所与の容積及び高さ（標準化された高さなど）を維持することを提供する。第１のセクション１０２はパッケージ１００の向上した安定性を維持することを提供する一方、第２のセクション１０３での減少した幅（ｗ２）が必要に応じてパッケージ１００の容易な把持及び操作を提供することを可能にする。幅（ｗ２）が縮小された第２のセクション１０３を有することにより、図１ａに概略的に示されているように、前面パネル（ＦＰ）と左パネル（ＬＰ）と右パネル（ＲＰ）との間に位置し、前面左エッジ（ＦＬＥ）及び前面右エッジ（ＦＲＥ）に沿って延びるベベル面１０３’を有することが可能になる。ベベル面は、この用語の通常の意味で解釈されるべきである。すなわち、ベベル面１０３’は、前面パネル（ＦＰ）に対して直角を形成しない。ベベル面１０３’の幅は、前面パネル（ＦＰ）の幅（ｗ２）が最小である高さｈ２で最も広くなり得る。次に、ベベル面１０３’の幅は、図１ａ及び図２に示されるように、トップパネル（Ｔ）及び第１のセクション１０２に向かって徐々に減少し得る。ベベル面１０３’は、パッケージ１００の把持、及び、第２のセクション１０３でのパッケージの圧縮などのパッケージ１００の操作を容易にする。
【００１６】
図１ａの例に示されているように、第２の高さ（ｈ２）は、第１の高さ（ｈ１）より大きくてもよい。したがって、消費者は、幅（ｗ２）が第１のセクション１０２の幅（ｗ１）に比べて減少しているパッケージ１００の上部で第２のセクション１０３を好都合に把持することができ、第１のセクション１０２は代わりにパッケージ１００の頑丈な下部ベース部を提供し、並びに、内容物をその開口部から注ぐときにパッケージ１００の改善された制御を提供し、例えば、把持するときに頂部が重いパッケージ１００を回避する。
【００１７】
前面パネル（ＦＰ）の横幅（ｗ３、ｗ’３）は、高さ（ｈ３、ｈ’３）において、前面ボトムエッジ（ＦＢＥ）の長さ（ＬＢ）又は前面トップエッジ（ＦＴＥ）の長さ（ＬＴ）に等しいかもしれない。これは図１ｂに概略的に示されており、ここで幅ｗ’３は高さｈ’３において長さＬＢに等しく、幅ｗ３は高さｈ３において長さＬＴに等しい。比率ｈ３／ｈｆ、又はｈ’３／ｈｆは、０．２５から０．７５の間、好ましくは０．４から０．６の間であってもよく、ｈｆは前面ボトムエッジ（ＦＢＥ）から前面トップエッジ（ＦＴＥ）までの前面パネル（ＦＰ）の高さである。これは、消費者に直感的に配置された把持セクションを提供すること、及びパッケージの堅牢性及びパッケージ１００の形状の操作の容易さに関して考察した利点を提供することの両方の観点から、上述の第１のセクション１０２と第２のセクション１０３との間の移行部の特に有利な位置を提供する。
【００１８】
背面パネル（ＢＰ）は、背面トップエッジ（ＢＴＥ）に沿ってトップパネル（Ｔ）に接続されている。図３ａに示すように、背面パネル（ＢＰ）はまた、背面ボトムエッジ（ＢＢＥ）に沿ってボトムパネル（Ｂ）に接続されている。前に説明したように、前面ボトムエッジ（ＦＢＥ）から前面トップエッジ（ＦＴＥ）までの前面パネル（ＦＰ）の高さはｈｆで表される。背面ボトムエッジ（ＢＢＥ）から背面トップエッジ（ＢＴＥ）までの背面パネル（ＢＰ）の高さはｈｂで表される。示される実施形態では、ｈｂはｈｆよりも大きい。特に、ｈｂ／ｈｆの比率は少なくとも１．０５であってもよい。これにより、図３ａに示すように、傾斜したトップパネル（Ｔ）が提供される。そのような非対称性は、パッケージ１００の圧縮などのパッケージ１００の形状の操作をさらに容易にし得る。それというのも、前面トップエッジ（ＦＴＥ）及び背面トップエッジ（ＢＴＥ）は互いに対してオフセットされており、パッケージ１００を圧縮するときに、トップパネル（Ｔ）がすでに傾いている方向へのトップパネル（Ｔ）の折り畳みを促進するからである。
【００１９】
前面ボトムエッジ（ＦＢＥ）の長さ（ＬＢ）は、例えば、図１ａに例示されるように、前面トップエッジ（ＦＴＥ）の長さ（ＬＴ）より長くてもよい。ボトムパネル（Ｂ）は例えば長方形の形状を有し得る一方、トップパネル（Ｔ）は正方形の形状を有してもよい。これにより、大きい方の幅（ｗ１）をさらに大きくして、小さい方の幅（ｗ２）に対してさらに強調された違いを提供する。
【００２０】
前面左エッジ（ＦＬＥ）及び／又は前面右エッジ（ＦＲＥ）は、例えば図１ａに示されるように、正弦曲線の形態を有してもよい。そのような滑らかな湾曲は、例えば第２のセクション１０３において、パッケージ１００の安全で快適な把持を実現する。
【００２１】
同じく、背面左エッジ（ＢＬＥ）及び／又は背面右エッジ（ＢＲＥ）は、正弦曲線の形態を有し得る。図３ｂは、正弦曲線の形態を有する右パネル（ＲＰ）の背面右エッジ（ＢＲＥ）を示している。背面左エッジ（ＢＬＥ）は対応する形状を有してもよい。右パネル（ＲＰ）については以下で詳述する。
【００２２】
背面パネル（ＢＰ）の形状は、前面パネル（ＦＰ）の形状の鏡像であってもよい。背面パネル（ＢＰ）はまた、前面パネル（ＦＰ）の高さ（ｈｆ）と背面パネル（ＢＰ）の高さ（ｈｂ）との差に応じて高さ寸法において拡大された前面パネル（ＦＰ）の形状の鏡像であり得る。したがって、背面パネル（ＢＰ）は、前面パネル（ＦＰ）に対応する形状を有してもよいが、高さ寸法において伸長されている。
【００２３】
さらに、前面右エッジ（ＦＲＥ）は、例えば、図１ａに示されるように、前面左エッジ（ＦＬＥ）の鏡像であってもよい。そのような対称性は、パッケージ１００の堅牢性及び安定性の向上を提供し得る。同様に、背面右エッジ（ＢＲＥ）もまた、背面左エッジ（ＢＬＥ）の鏡像であってもよい。全体的な対称性は、パッケージ１００のより直感的な取り扱いを提供し得る。
【００２４】
前面ボトムエッジ（ＦＢＥ）と前面トップエッジ（ＦＴＥ）の平均長さはｗａと表すことができる。比率（ｗ１−ｗａ）／ｗａは、比率（ｗａ−ｗ２）／ｗａよりも大きい場合がある。したがって、平均長さｗａに関して、幅（ｗ１）（すなわち、より広いセクション１０２）の長さの差は、幅（ｗ２）（すなわち、狭いセクション１０３）の長さの差よりも大きい場合がある。
【００２５】
図３ｂに示すように、右パネル（ＲＰ）は、右トップエッジ（ＲＴＥ）に沿ってトップパネル（Ｔ）に接続され、さらに右ボトムエッジ（ＲＢＥ）に沿ってボトムパネル（Ｂ）に接続される。右ボトムエッジ（ＲＢＥ）から測定した第４の高さ（ｈ４）において、前面右エッジ（ＦＲＥ）から背面右エッジ（ＢＲＥ）まで測定した右パネル（ＲＰ）の横幅（ｗ４）は、右ボトムエッジ（ＲＢＥ）の長さ（Ｌ’Ｂ）よりも小さく、右トップエッジ（ＲＴＥ）の長さ（Ｌ’Ｔ）よりも小さい。右トップエッジ（ＲＴＥ）の長さ（Ｌ’Ｔ）は、図３ｂの例では、高さ方向に垂直な平面に投影された背面トップエッジ（ＢＴＥ）と前面トップエッジ（ＦＴＥ）との間の距離と見なされる。右ボトムエッジ（ＲＢＥ）から測定した第５の高さ（ｈ５）において、前面右エッジ（ＦＲＥ）から背面右エッジ（ＢＲＥ）まで測定した右パネル（ＲＰ）の横幅（ｗ５）は、右ボトムエッジ（ＲＢＥ）の長さ（Ｌ’Ｂ）よりも大きく、右トップエッジ（ＲＴＥ）の長さ（Ｌ’Ｔ）よりも大きい。したがって、右パネル（ＲＰ）は、可変幅（ｗ４、ｗ５）を有し得、減少した幅（ｗ４）を有する右パネル（ＲＰ）のセクション１０４、及び増大した幅（ｗ５）を有する右パネル（ＲＰ）のセクション１０５を提供する。右パネル（ＲＰ）にもそのような可変幅（ｗ４、ｗ５）を有することは、前面パネル（ＦＰ）に関して上述した利点をさらに強調することを提供し、より良い把持セクション及びパッケージ１００の容易な圧縮を提供するなど使いやすさをさらに改善する一方、パッケージ１００全体の堅牢特性を有する。
【００２６】
図３ｂの例に示されているように、第５の高さ（ｈ５）は、第４の高さ（ｈ４）よりも大きい場合がある。したがって、幅ｗ４を有する右パネル（ＲＰ）の狭いセクション１０４は、パッケージ１００のベース部に隣接して提供できる一方、幅ｗ２（図１ａ）を有する前面パネル（ＦＰ）の狭いセクション１０３は、パッケージ１００の頂部に隣接して提供される。高さ方向における、隣接するサイドパネルの狭いセクション（ｗ２、ｗ４）の変位は、全高に沿って配置されたくぼみを備えた関連セクション１０３、１０４を有することを提供し、ここでパッケージ１００の圧縮は促進された方法で開始され得る。また、消費者は、セクション１０３、１０４で、すなわち、パッケージのベース部及び頂部の両方に隣接して、直感的な把持部を見つけ得る。図３ｂはまた、図１ａに関連して記載されたベベル面１０３’に類似しているが、パッケージ１００の頂部ではなくベース部に隣接するベベル１０４’を示している。
【００２７】
図１ｂに関連して記載したように、右パネル（ＲＰ）の横幅（ｗ６、ｗ’６）は、図３ｃに概略的に示されているように、高さ（ｈ６、ｈ’６）において、右ボトムエッジ（ＲＢＥ）の長さ（Ｌ’Ｂ）又は右トップエッジ（ＲＴＥ）の長さ（Ｌ’Ｔ）に等しい場合がある。比率ｈ６／ｈｆ、又はｈ’６／ｈｆは、０．２５から０．７５の間、好ましくは０．４から０．６の間であり得、ｈｆは、右ボトムエッジ（ＲＢＥ）から右トップエッジ（ＲＴＥ）の中心までの右パネル（ＲＰ）の高さである。
【００２８】
左パネル（ＬＰ）の形状は、右パネル（ＲＰ）の形状の鏡像であってもよい。
【００２９】
図４ａ〜４ｂは、カートンパッケージ１００のカートンブランク２００の概略図である。最初に図４ａに目を向けると、カートンブランク２００は、カートンパッケージ１００の前面左エッジ（ＦＬＥ）を規定する第１の長手方向折り目線３００と、カートンパッケージ１００の前面右エッジ（ＦＲＥ）を規定する第２の長手方向折り目線３０１とを備える。カートンブランク２００は、カートンパッケージ１００の前面トップエッジ（ＦＴＥ）、背面トップエッジ（ＢＴＥ）、左トップエッジ（ＬＴＥ）、及び右トップエッジ（ＲＴＥ）を規定する第１の横方向折り目線３０２を備える。カートンブランク２００は、カートンパッケージ１００の前面ボトムエッジ（ＦＢＥ）、背面ボトムエッジ（ＢＢＥ）、左ボトムエッジ（ＬＢＥ）、及び右ボトムエッジ（ＲＢＥ）を規定する第２の横方向折り目線３０３を備える。カートンブランク２００は、前面パネルセクション（ＦＰ）、背面パネルセクション（ＢＰ）、左パネルセクション（ＬＰ）、及び右パネルセクション（ＲＰ）を備える。前面パネルセクション（ＦＰ）は、前面左エッジ（ＦＬＥ）と前面右エッジ（ＦＲＥ）との間に延び、前面トップエッジ（ＦＴＥ）に沿ってトップパネルセクション（Ｔ１）に接続され、前面ボトムエッジ（ＦＢＥ）に沿ってボトムパネルセクション（Ｂ１）に接続される。前面ボトムエッジ（ＦＢＥ）から測定された第１の高さ（ｈ１）において、前面左エッジ（ＦＬＥ）から前面右エッジ（ＦＲＥ）まで測定された前面パネルセクション（ＦＰ）の横幅（ｗ１）は、前面ボトムエッジ（ＦＢＥ）の長さ（ＬＢ）よりも大きく、前面トップエッジ（ＦＴＥ）の長さ（ＬＴ）よりも大きい。前面ボトムエッジ（ＦＢＥ）から測定された第２の高さ（ｈ２）において、前面左エッジ（ＦＬＥ）から前面右エッジ（ＦＲＥ）まで測定された前面パネルセクション（ＦＰ）の横幅（ｗ２）は、前面ボトムエッジ（ＦＢＥ）の長さ（ＬＢ）よりも小さく、前面トップエッジ（ＦＴＥ）の長さ（ＬＴ）よりも小さい。
【００３０】
したがって、ブランク２００は、パッケージ１００及びその前面パネル（ＦＰ）に関して上に記載した有利な利点を提供する。
【００３１】
図４ａにさらに示されるように、カートンブランク２００は、第２の長手方向折り目線３０１、第１の横方向折り目線３０２、及び第２の横方向折り目線３０３とともに右パネルセクション（ＲＰ）を画定する第３の長手方向折り目線３０４を含み得る。カートンブランク２００はまた、第１の長手方向折り目線３００、第１の横方向折り目線３０２、及び第２の横方向折り目線３０３とともに左パネルセクション（ＬＰ）を画定する第４の長手方向折り目線３０５を含んでもよい。
【００３２】
図４ｂに目を向けると、右パネルセクション（ＲＰ）は、前面右エッジ（ＦＲＥ）と背面右エッジ（ＢＲＥ）との間に延び、右トップエッジ（ＲＴＥ）に沿ってトップパネルセクション（Ｔ２）に接続することができ、右ボトムエッジ（ＲＢＥ）に沿ってボトムパネルセクション（Ｂ２）に接続することができる。右ボトムエッジ（ＲＢＥ）から測定した第４の高さ（ｈ４）において、前面右エッジ（ＦＲＥ）から背面右エッジ（ＢＲＥ）まで測定した右パネルセクション（ＲＰ）の横幅（ｗ４）は、右ボトムエッジ（ＲＢＥ）の長さ（Ｌ’Ｂ）よりも小さく、右トップエッジ（ＲＴＥ）の長さ（Ｌ’Ｔ）よりも小さい。右ボトムエッジ（ＲＢＥ）から測定した第５の高さ（ｈ５）において、前面右エッジ（ＦＲＥ）から背面右エッジ（ＢＲＥ）まで測定した右パネルセクション（ＲＰ）の横幅（ｗ５）は、右ボトムエッジ（ＲＢＥ）の長さ（Ｌ’Ｂ）よりも大きく、右トップエッジ（ＲＴＥ）の長さ（Ｌ’Ｔ）よりも大きい。右トップエッジ（ＲＴＥ）の長さ（Ｌ’Ｔ）は、図４ｂの例では、右トップエッジ（ＲＴＥ）における第２の長手方向折り目線３０１と第３の長手方向折り目線３０４との間の距離と見なされる。したがって、ブランク２００は、パッケージ１００及びその右パネル（ＲＰ）に関して上に記載した有利な利点をさらに提供する。
【００３３】
特定の例を参照して本発明を上に記載してきた。しかしながら、上記以外の例が、本発明の範囲内で等しく可能である。本発明の異なる特徴及びステップは、記載されたもの以外の組み合わせで組み合わせることができる。本発明の範囲は、添付の特許請求項によってのみ制限される。
【００３４】
より一般的には、当業者は、本明細書に記載のすべてのパラメータ、寸法、材料、及び構成が例示的であることを意味し、実際のパラメータ、寸法、材料、及び／又は構成は、本発明の教示が使用される特定の用途に依存することを容易に理解するであろう。
【図１ａ】
2021533045.tif 000003
【図１ｂ】
2021533045.tif 000004
【図２】
2021533045.tif 000005
【図３ａ】
2021533045.tif 000006
【図３ｂ】
2021533045.tif 000007
【図３ｃ】
2021533045.tif 000008
【図４ａ】
2021533045.tif 000009
【図４ｂ】
2021533045.tif 000010
【国際調査報告】
2021533045.tif 000011
2021533045.tif 000012
2021533045.tif 000013